(57)【要約】【課題】  入力された画像及び複数の画像出力相互の色の差を小さくする。【解決手段】  制御端末本体２８は、素材画像データを取得し、印刷装置４，５−１〜５−３それぞれのデバイスプロファイル等の画像出力特性を参照して、素材画像データが印刷装置４，５−１〜５−３それぞれの画像出力特性に対して最適化されるように、素材画像データを変換する（変換済画像データの生成）。制御端末２は、例えば印刷装置４の色再現域を基準色再現域として設定する。印刷装置４は、基準色再現域によって変換済画像データに対する印刷を行なう。制御端末２は、印刷装置４のデバイスプロファイルを校正し、色校正プロファイルを作成する。また、制御端末２は、作成した色校正プロファイル及び変換済画像データに基づいて、印刷装置５−１〜５−３に対する印刷プロファイルを作成する。【選択図】          図６
2006148746.tif 000002
【特許請求の範囲】
【請求項１】
画像を出力する画像出力手段及び少なくとも１つの他の画像出力手段それぞれの画像出力特性に応じて、入力された画像データを変換し、変換された画像データに基づく画像を前記画像出力手段及び前記少なくとも１つの他の画像出力手段によって出力することを特徴とする画像処理方法。
【請求項２】
画像データと他の画像データとの差分を示す差分データを抽出し、抽出された差分データ及び他の画像データから画像データを再生し、再生された画像データを前記画像出力手段及び前記少なくとも１つの他の画像出力手段それぞれの画像出力特性に応じて変換することを特徴とする請求項１記載の画像処理方法。
【請求項３】
画像を出力する画像出力手段と、画像を出力する少なくとも１つの他の画像出力手段と、前記画像出力手段及び前記少なくとも１つの他の画像出力手段それぞれの画像出力特性に応じて、入力された画像データを変換する画像データ変換手段とを有し、前記画像出力手段及び前記少なくとも１つの他の画像出力手段それぞれは、前記画像データ変換手段が変換した画像データに基づいて画像を出力することを特徴とする画像処理システム。
【請求項４】
画像データと他の画像データとの差分を示す差分データを抽出する差分データ抽出手段と、この差分データ抽出手段が抽出した差分データ及び他の画像データから画像データを再生する画像データ再生手段とをさらに有し、前記画像データ変換手段は、前記画像データ再生手段が再生した画像データを変換することを特徴とする請求項３記載の画像処理システム。
【請求項５】
前記画像データ変換手段によって変換された画像データの色域に応じて、前記画像出力手段の色再現域を調整する第１の調整手段と、この第１の調整手段が調整した色再現域、及び前記画像データ変換手段によって変換された画像データの色域に基づいて、前記少なくとも１つの他の画像出力手段それぞれの色再現域を調整する第２の調整手段とを有することを特徴とする請求項３又は４記載の画像処理システム。
【請求項６】
前記画像出力手段及び前記少なくとも１つの他の画像出力手段それぞれが画像を出力する媒体に応じて、前記第１の調整手段及び前記第２の調整手段が色再現域を調整する調整量を切替える調整量切替え手段をさらに有することを特徴とする請求項５記載の画像処理システム。
【請求項７】
前記第１の調整手段によって色再現域を調整するための基準色再現域を設定する基準色再現域設定手段をさらに有することを特徴とする請求項５又は６記載の画像処理システム。
【請求項８】
前記基準色再現域設定手段は、前記少なくとも１つの他の画像出力手段の色再現域の論理和、論理積及び平均のいずれかに基づいて基準色再現域を設定することを特徴とする請求項７記載の画像処理システム。
【請求項９】
前記画像データ変換手段は、被写体を撮像することによって生成された画像データを変換し、前記画像出力手段及び前記少なくとも１つの他の画像出力手段それぞれは、被写体が撮像された環境の光源情報に基づいて画像を出力することを特徴とする請求項３乃至８いずれか記載の画像処理システム。
【発明の詳細な説明】
【技術分野】
【０００１】
本発明は、複数の画像出力装置を有する画像処理システムに関するものである。
【背景技術】
【０００２】
ネットワークを介して複数のプリンタが接続さている場合、同一のデータに対してプリンタ毎に再現可能な色域が異なってしまうという問題があった。そこで、画像データに対して特定のプリンタ用の色空間への変換を施し、変換後の画像データに対してデバイス非依存の色空間への変換を施して、更に、他のプリンタ用の色空間への変換を施すことにより、異なるプリンタ間で同様な色再現を実現することが知られている（特許文献１参照）。
【０００３】
【特許文献１】特開２００２−１１８７６５号公報
【発明の開示】
【発明が解決しようとする課題】
【０００４】
しかしながら、上記従来例においては、特定のプリンタを変更すると、他のプリンタの色も変わってしまうという問題があった。また、例えば、店舗などで、商品、商品の印刷機による印刷物及び商品のプリンタによる印刷物などが合わせて展示される場合に、商品（原画像データ）と各印刷物それぞれとのカラーマッチングを考慮する必要がある。
【０００５】
そこで、本発明は、入力された画像及び複数の画像出力相互の色の差を小さくすることができる画像処理方法及び画像処理システムを提供することを目的とする。
【課題を解決するための手段】
【０００６】
上記目的を達成するため、本発明の第１の特徴とするところは、画像を出力する画像出力手段及び少なくとも１つの他の画像出力手段それぞれの画像出力特性に応じて、入力された画像データを変換し、変換された画像データに基づく画像を前記画像出力手段及び前記少なくとも１つの他の画像出力手段によって出力する画像処理方法にある。したがって、例えば入力された画像データを画像出力手段及び少なくとも１つの他の画像出力手段それぞれの画像出力特性に応じた画像データに変換することにより、入力された画像及び複数の画像出力相互の色の差を小さくすることができる。
【０００７】
好適には、画像データと他の画像データとの差分を示す差分データを抽出し、抽出された差分データ及び他の画像データから画像データを再生し、再生された画像データを前記画像出力手段及び前記少なくとも１つの他の画像出力手段それぞれの画像出力特性に応じて変換する。したがって、差分データ及び他の画像データから画像データを再生することにより、画像データがない場合にも、画像出力手段及び少なくとも１つの他の画像出力手段は、変換された画像データに基づく画像を出力することができる。
【０００８】
また、本発明の第２の特徴とするところは、画像を出力する画像出力手段と、画像を出力する少なくとも１つの他の画像出力手段と、前記画像出力手段及び前記少なくとも１つの他の画像出力手段それぞれの画像出力特性に応じて、入力された画像データを変換する画像データ変換手段とを有し、前記画像出力手段及び前記少なくとも１つの他の画像出力手段それぞれは、前記画像データ変換手段が変換した画像データに基づいて画像を出力する画像処理システムにある。したがって、画像データ変換手段が入力された画像データを画像出力手段及び少なくとも１つの他の画像出力手段それぞれの画像出力特性に応じた画像データに変換することにより、入力された画像及び複数の画像出力相互の色の差を小さくすることができる。
【０００９】
好適には、画像データと他の画像データとの差分を示す差分データを抽出する差分データ抽出手段と、この差分データ抽出手段が抽出した差分データ及び他の画像データから画像データを再生する画像データ再生手段とをさらに有し、前記画像データ変換手段は、前記画像データ再生手段が再生した画像データを変換する。したがって、画像データ再生手段が差分データ及び他の画像データから画像データを再生することにより、画像データがない場合にも、画像出力手段及び少なくとも１つの他の画像出力手段は、変換された画像データに基づく画像を出力することができる。
【００１０】
また、好適には、前記画像データ変換手段によって変換された画像データの色域に応じて、前記画像出力手段の色再現域を調整する第１の調整手段と、この第１の調整手段が調整した色再現域、及び前記画像データ変換手段によって変換された画像データの色域に基づいて、前記少なくとも１つの他の画像出力手段それぞれの色再現域を調整する第２の調整手段とを有する。即ち、画像出力手段及び少なくとも１つの他の画像出力手段が、変換された画像データの色域に応じて色再現域を調整されると共に、少なくとも１つの他の画像出力手段が、調整された画像出力手段の色再現域に応じて色再現域を調整されるので、入力された画像及び複数の画像出力相互の色の差を小さくすることができる。
【００１１】
また、好適には、前記画像出力手段及び前記少なくとも１つの他の画像出力手段それぞれが画像を出力する媒体に応じて、前記第１の調整手段及び前記第２の調整手段が色再現域を調整する調整量を切替える調整量切替え手段をさらに有する。したがって、画像が出力される媒体が変えられても、第１の調整手段及び第２の調整手段が色再現域を調整する調整量を切替えるので、入力された画像及び複数の画像出力相互の色の差を小さくすることができる。
【００１２】
また、好適には、前記第１の調整手段によって色再現域を調整するための基準色再現域を設定する基準色再現域設定手段をさらに有する。また、好適には、前記基準色再現域設定手段は、前記少なくとも１つの他の画像出力手段の色再現域の論理和、論理積及び平均のいずれかに基づいて基準色再現域を設定する。即ち、少なくとも１つの他の画像出力手段の色再現域の論理和、論理積及び平均のいずれかに基づいて、色再現域が調整されるので、複数の他の画像出力手段が設けられ、他の画像出力手段それぞれの色再現域のばらつきが大きい場合にも、入力された画像及び複数の画像出力相互の色再現域の差を小さくすることができる。
【００１３】
また、好適には、前記画像データ変換手段は、被写体を撮像することによって生成された画像データを変換し、前記画像出力手段及び前記少なくとも１つの他の画像出力手段それぞれは、被写体が撮像された環境の光源情報に基づいて画像を出力する。したがって、例えば被写体が撮像された環境の光源と、画像出力手段及び少なくとも１つの他の画像出力手段が画像を出力する環境の光源とが異なる場合にも、画像出力手段及び少なくとも１つの他の画像出力手段は、入力された画像及び複数の画像出力相互の色の差を小さくすることができる。
【発明の効果】
【００１４】
本発明によれば、入力された画像及び複数の画像出力相互の色の差を小さくすることができる。
【発明を実施するための最良の形態】
【００１５】
次に本発明の実施形態を図面に基づいて説明する。
図１において、本発明の実施形態に係る画像処理システム１の概要が示されている。画像処理システム１は、例えば制御端末２がネットワーク３を介して印刷装置４，５−１〜５−ｎ及び標準画像データベース６に接続されることによって構成される。印刷装置４，５−１〜５−ｎは、それぞれ異なる出力特性を有し、制御端末２の制御によって、用紙などの記録媒体にカラー画像を印刷する。
【００１６】
標準画像データベース６は、例えばカーテンなどの商品を示す複数の商品画像データを標準画像データとして予め記憶しているデータベースである。また、標準画像データベース６に記憶された標準画像データそれぞれは、標準画像名称、標準画像解像度、標準色データ及び標準画像関連情報が付された画像データ（画像ファイル）になっている。なお、標準画像関連情報には、商品をデジタルカメラなどで撮像した環境における照明光情報及び環境光情報（光源情報）が標準値として含まれている。
【００１７】
図２において、制御端末２の構成が示されている。
制御端末２は、例えばＰＣ（Personal Computer）などであり、入力部２０、表示部２２、記憶部２４、通信部２６及び制御端末本体２８から構成され、印刷装置４，５−１〜５−ｎ及び標準画像データベース６を制御する。入力部２０は、キーボード及びマウスなどの入力装置を有し、印刷装置４，５−１〜５−ｎ及び標準画像データベース６に対するユーザの入力を受入れる。表示部２２は、ＣＲＴ表示装置又はＬＣＤ表示装置であり、印刷装置４，５−１〜５−ｎ及び標準画像データベース６などから受入れた信号に対する表示を行なう。
【００１８】
記憶部２４は、画像処理システム１を構成する各部を制御するプログラム、複数のデータベース（図３を用いて後述）、画像処理システム１に対する設定及び制御端末２によって作成されたプロファイルなどを記憶する。また、記憶部２４は、例えばメモリカードなどの記憶媒体２４０を介して入力される画像データ（画像ファイル）及び通信部２６などから入力される画像データなどを記憶する。通信部２６は、ネットワーク３を介して印刷装置４，５−１〜５−ｎ及び標準画像データベース６と制御端末本体２８とを接続する。制御端末本体２８は、ＣＰＵ２８０及びメモリ２８２を有し、制御端末２を構成する各部を制御する。
【００１９】
次に、記憶部２４について詳述する。
図３は、記憶部２４に記憶されたデータなどの概要を示すメモリマップである。
図３に示すように、記憶部２４は、例えばプログラム領域２４２、素材画像データベース２４４、素材画像差分データベース２４６、印刷装置データベース２４８及びその他の記憶領域２５０に分けられている。
プログラム領域２４２は、制御端末２が印刷装置４，５−１〜５−ｎ及び標準画像データベース６を制御するために必要なプログラムなどを記憶する。
【００２０】
素材画像データベース２４４は、例えばカーテンなどの商品に関するデータであって、標準画像データベース６に記憶されていない商品画像データを素材画像データとして記憶するデータベースである。また、素材画像データベース２４４に記憶された素材画像データそれぞれは、素材画像名称、素材画像解像度、素材色データ及び素材画像関連情報が付された画像データ（画像ファイル）になっている。素材画像関連情報には、商品をデジタルカメラなどで撮像した環境における照明光情報及び環境光情報（光源情報）などが含まれている。なお、素材画像データの素材画像名称が標準画像データの標準画像名称と同じ場合、素材画像データは、標準画像データベース内に記憶されている商品に対し、例えば商品形状が同じ商品に対するデータであるとされている。
【００２１】
素材画像差分データベース２４６は、標準画像データベース６に記憶されている商品画像データに対する差分を素材画像差分データとして記憶するデータベースである。また、素材画像差分データベース２４６に記憶された素材画像差分データそれぞれは、標準画像データベース６に記憶された標準画像データと対応付けるための素材画像名称（差分）、並びに、差分データである素材画像解像度（差分）、素材色データ（差分）及び素材画像関連情報（差分）を含む。なお、素材画像関連情報（差分）には、商品をデジタルカメラなどで撮像した環境における照明光情報及び環境光情報（光源情報）の差分が含まれている。
【００２２】
印刷装置データベース２４８は、印刷装置４，５−１〜５−ｎそれぞれの画像処理解像度、出力解像度及びデバイスプロファイル（用紙などの記録媒体別のプロファイルを含む）などの画像出力特性を記憶するデータベースである。つまり、印刷装置４，５−１〜５−ｎは、記録媒体毎に異なるプロファイルで画像を印刷するようにされている。
【００２３】
その他の記憶領域２５０は、画像処理システム１に対する設定及び制御端末２によって作成された後述する色校正プロファイル及び印刷プロファイル（媒体別プロファイルを含む）などを記憶する。
【００２４】
図４において、画像処理システム１による画像処理の概念の概略が示されている。
画像処理システム１において、素材画像データ入力部７００は、標準画像データベース６に接続された素材画像データベース２４４又は素材画像データベース２４６に対して素材画像データを入力する。素材画像データ変換処理部７０２は、素材画像データベース２４４又は素材画像データベース２４６から素材画像データを受け入れ、印刷装置データベース２４８に記憶された印刷装置４，５−１〜５−ｎそれぞれの出力特性に応じて素材画像データを変換する。
【００２５】
素材画像データ変換処理部７０２によって変換された素材画像データそれぞれは、制御端末２が実行する第１の色変換処理過程７０４−１〜第ｎ＋１色変換処理過程７０４−ｎ＋１において用いられる。第１の色変換処理過程７０４−１は、印刷装置４に対する色変更シミュレーションを行う過程と、印刷装置４用出力データを作成する過程と、印刷装置４が出力した第１の出力物７−１の色情報を用いて印刷装置４の色校正プロファイルを作成する過程（色校正データ設定）とを含む。
【００２６】
第２の色変換処理過程７０４−２は、印刷装置５−１に対する色変更シミュレーションを行う過程と、印刷装置５−１用出力データを作成する過程とを含む。なお、印刷装置５−１用出力データを作成する過程においては、第１の色変換処理過程７０４−１において作成された色校正プロファイルと、印刷装置データベース２４８に記憶された印刷装置５−１の出力特性とに応じて作成された印刷プロファイルがその他の記憶領域２５０から受入れられて用いられる。印刷装置５−１は、第２の色変換処理過程７０４−２において作成された印刷装置５−１用出力データに応じて第２の出力物７−２を印刷する。
【００２７】
第ｎ＋１の色変換処理過程７０４−ｎ＋１は、印刷装置５−ｎに対する色変更シミュレーションを行う過程と、印刷装置５−ｎ用出力データを作成する過程とを含む。なお、印刷装置５−ｎ用出力データを作成する過程においては、第１の色変換処理過程７０４−１において作成された色校正プロファイルと、印刷装置データベース２４８に記憶された印刷装置５−ｎの出力特性とに応じて作成された印刷プロファイルがその他の記憶領域２５０から受入れられて用いられる。印刷装置５−ｎは、第ｎの色変換処理過程７０４−ｎ＋１において作成された印刷装置５−ｎ用出力データに応じて第ｎ＋１の出力物７−ｎ＋１を印刷する。
以下、画像処理システム１において、印刷装置５−ｎの台数を３台（ｎ＝３）とした場合を具体例として説明する。
【００２８】
次に、画像処理システム１が行う具体的な処理について説明する。
図５は、制御端末２が受入れた素材画像データを記憶部２４に記憶する処理（Ｓ１０）を例示するフローチャートである。
図５に示すように、ステップ１００（Ｓ１００）において、制御端末２は、記憶媒体２４０又は通信部２６を介して素材画像データを取得する。
【００２９】
ステップ１０２（Ｓ１０２）において、制御端末本体２８は、Ｓ１００の処理で取得された素材画像データに付された素材画像名称を検索キーとして、標準画像データベース６を検索する。
【００３０】
ステップ１０４（Ｓ１０４）において、制御端末本体２８は、素材画像データの素材画像名称と同じ標準画像名称の標準画像データが標準画像データベース６内にあるか否かを判断し、素材画像名称と同じ標準画像名称がある場合にはＳ１０６の処理に進み、素材画像名称と同じ標準画像名称がない場合にはＳ１１０の処理に進む。
【００３１】
ステップ１０６（Ｓ１０６）において、制御端末本体２８は、標準画像データに対する素材画像データの差分（素材画像差分データ）を抽出する。
【００３２】
ステップ１０８（Ｓ１０８）において、制御端末本体２８は、素材画像差分データを記憶部２４の素材画像差分データベース２４６に記憶させる。
【００３３】
ステップ１１０（Ｓ１１０）において、制御端末本体２８は、素材画像データを記憶部２４の素材画像データベース２４４に記憶させる。
【００３４】
次に、画像処理システム１が商品画像を印刷する処理について説明する。
図６は、画像処理システム１が商品画像を印刷する処理（Ｓ２０）を示すフローチャートである。
図７は、Ｓ２０の処理において、制御端末本体２８が素材画像データを変換する画像変換処理（Ｓ３０）を示すフローチャートである。
図６に示すように、ステップ２００（Ｓ２００）において、制御端末２が商品画像を印刷する印刷指示を受入れると、画像変換処理Ｓ３０に進む。
【００３５】
ステップ３００（Ｓ３００：図７）において、制御端末本体２８は、印刷指示された商品画像の素材画像データが記憶部２４の素材画像差分データベース２４６にあるか否かを判断し、素材画像データがある場合にはＳ３０２の処理に進み、素材画像データがない場合にはＳ３０６の処理に進む。
【００３６】
ステップ３０２（Ｓ３０２）において、制御端末本体２８は、素材画像差分データベース２４６から素材画像差分データを取得する。
【００３７】
ステップ３０４（Ｓ３０４）において、制御端末本体２８は、Ｓ３０２の処理で取得した素材画像差分データ、及び、この素材画像差分データの素材画像名称(差分）と同じ標準画像名称の標準画像データから、素材画像データを再生する。
【００３８】
ステップ３０６（Ｓ３０６）において、制御端末本体２８は、記憶部２４の素材画像データベース２４４から、素材画像名称に応じて素材画像データを取得する。
【００３９】
ステップ３０８（Ｓ３０８）において、制御端末本体２８は、記憶部２４の印刷装置データベース２４８から印刷装置４，５−１〜５−３のデバイスプロファイル等の画像出力特性を取得する。
【００４０】
ステップ３１０（Ｓ３１０）において、制御端末本体２８は、印刷装置４，５−１〜５−３それぞれのデバイスプロファイル等の画像出力特性を参照し、例えば素材画像データの色域が印刷装置４，５−１〜５−３それぞれの色再現域内に含まれ、解像度等が印刷装置４，５−１〜５−３それぞれの画像出力特性に対して最適化されるように、素材画像データを変換する（印刷装置４，５−１〜５−３それぞれに対する変換済画像データの生成）。
【００４１】
ステップ３１２（Ｓ３１２）において、制御端末本体２８は、生成された変換済画像データを例えば記憶部２４のその他の記憶領域２５０に記憶する。
【００４２】
ステップ２０２（Ｓ２０２：図６）において、制御端末２は、印刷装置４に対して、その他の記憶領域２５０に記憶されている変換済画像データを取得する。
【００４３】
ステップ２０４（Ｓ２０４）において、制御端末２は、画像処理システム１において基準となる色再現域を基準色再現域として設定する。例えば、制御端末２は、印刷装置４の色再現域を画像処理システム１の基準色再現域として設定する。
また、制御端末２は、印刷装置５−１〜５−３の色再現域の論理和、論理積又は平均などに基づいて基準色再現域を設定してもよい。例えば印刷装置５−１〜５−３の色再現域に基づいて基準色再現域を設定した場合、図８に示すように実在しない仮想基準印刷装置の色域が設定され、変換済画像データ及び印刷装置それぞれの色再現域の差を小さくするように基準色再現域を設定することができる。
【００４４】
ステップ２０６（Ｓ２０６）において、印刷装置４は、制御端末２から入力される変換済画像データに対する印刷を行う。例えば、印刷装置４の色再現域が基準色再現域として設定されている場合、印刷装置４に対して供給されているデバイスプロファイルによって変換済画像データに対する印刷を行なうことにより、基準色再現域の印刷が出力される。
【００４５】
ステップ２０８（Ｓ２０８）において、制御端末２は、ユーザの操作により、印刷装置４が変換済画像データに対する印刷を行なった結果に応じて基準再現域を補正（調整）し、色校正プロファイルを作成する。つまり、印刷装置４の色再現域が基準色再現域として設定された場合には、印刷装置４は、制御端末２によって作成された色校正プロファイルによって変換済画像データに対する印刷を行う。
【００４６】
ステップ２１０（Ｓ２１０）において、制御端末２は、例えばＣＰＵ２８０内のカウンタに対して１（ｎ＝１）を設定する。
【００４７】
ステップ２１２（Ｓ２１２）において、制御端末２は、ＣＰＵ２８０内のカウンタの値に対応する印刷装置５−ｎに対し、変換済画像データを取得する。
【００４８】
ステップ２１４（Ｓ２１４）において、制御端末２は、印刷装置５−ｎに対し、Ｓ２０６の処理で作成された色校正プロファイルを取得する。
【００４９】
ステップ２１６（Ｓ２１６）において、制御端末２は、Ｓ２１２の処理で取得した変換済画像データと、Ｓ２１４の処理で取得した色校正プロファイルとに基づいて、印刷装置５−ｎのデバイスプロファイルを変更することにより、印刷装置５−ｎに対する印刷プロファイルを作成する。つまり、印刷装置５−ｎは、制御端末２によって作成された印刷プロファイルによって変換済画像データに対する印刷を行う。
【００５０】
ステップ２１８（Ｓ２１８）において、制御端末２は、ＣＰＵ２８０内のカウンタの値が３か否かを判断し、カウンタの値が３でない場合にはＳ２２０の処理に進み、カウンタの値が３の場合にはＳ２２２の処理に進む。
【００５１】
ステップ２２０（Ｓ２２０）において、ＣＰＵ２８０内のカウンタの値に対して１を加え、Ｓ２１２の処理に進む。
つまり、印刷装置５−１〜５−３それぞれに対し、変換済画像データと色校正プロファイルとに基づく印刷プロファイルが作成される。
【００５２】
ステップ２２２（Ｓ２２２）において、印刷装置４，５−１〜５−３は、制御端末２がＳ２００の処理で受入れた印刷指示に応じて、変換済画像データに対する印刷を行う。
【００５３】
次に、画像処理システム１による色再現域の調整の実施例をＬ＊Ｃ＊ｈ＊表色系のグラフを用いて説明する。
図９は、画像処理システム１による色再現域の調整を画像データの色域（Ｇ０）、印刷装置４の色域（Ｇ１）及び印刷装置５−１の色域（Ｇ２）に対して行なった実施例を示すＬ＊Ｃ＊ｈ＊表色系のグラフである。
図９（Ａ）に示すように、画像データの色域（Ｇ０）、印刷装置４の色域（Ｇ１）及び印刷装置５−１の色域（Ｇ２）の関係がＧ０＜Ｇ１＜Ｇ２になっている場合、現物（商品画像データ）の色Ｐに対して、Ｇ０，Ｇ１，Ｇ２における色の違いは発生しない。
【００５４】
図９（Ｂ）に示すように、画像データの色域（Ｇ０）、印刷装置４の色域（Ｇ１）及び印刷装置５−１の色域（Ｇ２）の関係がＧ０＞Ｇ１、Ｇ０＜Ｇ２になっている場合、印刷装置５−１は、印刷装置４に対する色校正プロファイルを用いて印刷プロファイルが作成されているので、現物の色Ｐに対して同じ色を出力することができる。印刷装置４は、現物の色Ｐに対して色の違いが発生するが、画像データに対して色校正をされている。つまり、Ｇ０，Ｇ１，Ｇ２間の色の違いは、最小限にされる。
【００５５】
図９（Ｃ）に示すように、画像データの色域（Ｇ０）、印刷装置４の色域（Ｇ１）及び印刷装置５−１の色域（Ｇ２）の関係がＧ０＞Ｇ１、Ｇ０＞Ｇ２、Ｇ１＜Ｇ２になっている場合、印刷装置５−１は、印刷装置４に対する色校正プロファイルを用いて印刷プロファイルが作成されているので、現物の色Ｐに対して同じ色を出力することができる。印刷装置４は、現物の色Ｐに対して色の違いが発生するが、画像データに対して色校正をされている。つまり、Ｇ０，Ｇ１，Ｇ２間の色の違いは、最小限にされる。
【００５６】
図９（Ｄ）に示すように、画像データの色域（Ｇ０）、印刷装置４の色域（Ｇ１）及び印刷装置５−１の色域（Ｇ２）の関係がＧ０＜Ｇ２＜Ｇ１になっている場合、現物の色Ｐに対して、Ｇ０，Ｇ１，Ｇ２における色の違いは発生しない。
【００５７】
図９（Ｅ）に示すように、画像データの色域（Ｇ０）、印刷装置４の色域（Ｇ１）及び印刷装置５−１の色域（Ｇ２）の関係がＧ０＞Ｇ２、Ｇ０＜Ｇ１、Ｇ０＜Ｇ１になっている場合、Ｇ１がＧ０に対して色校正をされているため、現物の色Ｐは、印刷装置４でのみ再現され、印刷装置５−１では再現されない。一方、印刷装置４，５−１が出力する色は異なるが、印刷装置５−１は、印刷装置４に対する色校正プロファイルを用いて印刷プロファイルが作成されているので、印刷装置４に対する色の違いを最小限にされる。
【００５８】
図９（Ｆ）に示すように、画像データの色域（Ｇ０）、印刷装置４の色域（Ｇ１）及び印刷装置５−１の色域（Ｇ２）の関係がＧ０＞Ｇ２、Ｇ０＞Ｇ１、Ｇ２＜Ｇ１になっている場合、印刷装置５−１が印刷装置４に対する色校正プロファイルを用いて印刷プロファイルを作成されているので、現物の色Ｐは、印刷装置４，５−１によって再現されず、印刷装置４，５−１が出力する色も異なる。ただし、印刷装置４が画像データに対して色校正をされているため、Ｇ０，Ｇ１，Ｇ２間の色の違いは最小限にされる。
【００５９】
なお、上記実施形態においては、画像を印刷によって出力する場合を例にして説明したが、これに限定されることなく、画像処理システム１は、画像を例えば複数の表示装置によって出力し、入力された画像及び複数の画像表示装置相互の色の差を小さくするようにされてもよい。
【図面の簡単な説明】
【００６０】
【図１】本発明の実施形態に係る画像処理システムの概要を示す構成図である。
【図２】制御端末の構成を示す構成図である。
【図３】記憶部に記憶されたデータなどの概要を示すメモリマップである。
【図４】画像処理システムによる画像処理の概念の概略を示す概念図である。
【図５】制御端末が受入れた素材画像データを記憶部に記憶する処理（Ｓ１０）を例示するフローチャートである。
【図６】画像処理システムが商品画像を印刷する処理（Ｓ２０）を示すフローチャートである。
【図７】図５に示したＳ２０の処理において、制御端末本体が素材画像データを変換する画像変換処理（Ｓ３０）を示すフローチャートである。
【図８】実在しない仮想基準印刷装置の色域を設定した場合の色域を示すグラフである。
【図９】画像処理システムによる色再現域の調整を画像データの色域（Ｇ０）、印刷装置４の色域（Ｇ１）及び印刷装置５−１の色域（Ｇ２）に対して行なった実施例を示すＬ＊Ｃ＊ｈ＊表色系のグラフである。
【符号の説明】
【００６１】
１・・・画像処理システム
２・・・制御端末
２０・・・入力部
２２・・・表示部
２４・・・記憶部
２４０・・・記憶媒体
２４２・・・プログラム領域
２４４・・・素材画像データベース
２４６・・・素材画像差分データベース
２４８・・・印刷装置データベース
２５０・・・その他の記憶領域
２６・・・通信部
２８・・・制御端末本体
２８０・・・ＣＰＵ
３・・・ネットワーク
４，５−１〜５−ｎ・・・印刷装置
６・・・標準画像データベース
【図１】
2006148746.tif 000003
【図２】
2006148746.tif 000004
【図３】
2006148746.tif 000005
【図４】
2006148746.tif 000006
【図５】
2006148746.tif 000007
【図６】
2006148746.tif 000008
【図７】
2006148746.tif 000009
【図８】
2006148746.tif 000010
【図９】
2006148746.tif 000011